(57)【要約】【課題】DVDプレーヤなどの映像音声再生装置では、多様な機能の設定切り替えが、GUI等によって可能になっている。しかしながら、これら機能の中には、一般ユーザには理解しにくいものも含まれており、何らかの要因でユーザが誤った設定を行っていると、映像などが正常に表示されなくなるという弊害が生じる。このような場合でもユーザがどの項目の設定値を変更したらよいのかが、わかりにくいという課題がある。【解決手段】本発明は、プレーヤの動作状況とストリームの管理情報やヘッダ情報から設定変更の候補項目を明示し、当該機能にあまり詳しくないユーザに対しても、正しい設定値へ導き、使いやすくするアシスタント機能を提供する。【選択図】図１
2007109296.tif 000002
【特許請求の範囲】
【請求項１】
映像または音声が記録された記録媒体からデータを読み出すデータ読み出し手段と、
前記データ読み出し手段から読み出されたデータを映像、音声毎に復号化処理し、復号化処理された映像、音声を出力する映像音声再生手段と、
前記映像音声再生手段における映像、音声の最適な出力に必要な特定情報を前記データ読み出し手段から読み出し、解析する特定情報解析手段と、
再生装置の動作状態を記憶する動作状態記憶手段と、
前記映像音声再生手段に対する設定が最適かどうか判定する最適設定判定手段と、
ユーザから装置への操作を受け付ける受付手段と、
再生装置からユーザへの情報表示手段とを備え、
前記最適設定判定手段は、
前記受付手段がユーザからの操作を受けて、前記動作状態記憶手段からの装置の動作状態と、前記特定情報解析手段からの情報に基づいて、最適設定を前記情報表示手段を用いてユーザに表示または、最適設定に設定することを特徴とする映像音声再生装置。
【請求項２】
請求項１を実現するための制御方法。
【請求項３】
請求項２を実現するためのプログラム。
【発明の詳細な説明】
【技術分野】
【０００１】
本発明は、DVD (Digital Versatile Disc)やMPEG4コンテンツなどの映像音声を再生する映像音声再生装置において、機能の設定変更の候補項目を明示し、当該機能に詳しくないユーザに対しても、使いやすいように配慮した映像音声再生装置に関するものである。
【背景技術】
【０００２】
映像音声を再生、または記録する機器としてDVDプレーヤやDVDレコーダが広く普及してきているが、近年、それら機器は、プログレッシブ対応、HD(High Definition)対応、各種映像音声信号処理機能等、数多くの機能を搭載して差別化を図ってきている。しかしながら、これら機能に対してあまり詳しくない一般ユーザにとって、その多機能が故の使いにくさも指摘され始めている。そのため、各機器においては、あらゆるユーザにとって使いやすくする（Universal Design）工夫の一つとして、ヘルプ表示や設定に対するアシスタント機能を充実させてきている。例えば、特許文献１参照。
【特許文献１】特許第2690996号公報 （履歴依存ヘルプ制御方式）
【発明の開示】
【発明が解決しようとする課題】
【０００３】
DVDプレーヤなどの映像音声再生装置では、多様な機能の設定切り替えが、GUI(Graphical User Interface)等によって可能になっている。従来の再生装置の課題としては、次のようなことが挙げられる。これら機能の中には、一般ユーザには理解しにくいものも含まれていることである。このような項目には、再生するストリームの管理情報やヘッダ情報に応じて再生装置が自動的に最適な設定値に設定するオートモードが準備されている場合もある。しかし、オートモードもストリームの管理情報やヘッダ情報が正しくない場合など、必ずしも万能ではなく、適宜設定を切り替えて使用している場合がある。このとき、ユーザが設定値を変更したのを忘れて、それに気づかないまま使用していると映像などが正常に表示されなくなるという弊害が生じる。このような場合、ユーザがどの項目の設定値を変更したらよいのかが、わかりにくいという課題がある。
【０００４】
従って本発明は、多様な機能にあまり詳しくないユーザに対しても設定変更の候補項目を知ることができ、設定変更に関しての使い勝手が向上させた映像音声再生装置およびその制御方法とプログラムを提供することを目的とする。
【課題を解決するための手段】
【０００５】
本発明の請求項１に係る映像音声再生装置は、映像または音声が記録された記録媒体からデータを読み出すデータ読み出し手段と、前記データ読み出し手段から読み出されたデータを映像、音声毎に復号化処理し、復号化処理された映像、音声を出力する映像音声再生手段と、前記映像音声再生手段における映像、音声の最適な出力に必要な特定情報を前記データ読み出し手段から読み出し、解析する特定情報解析手段と、再生装置の動作状態を記憶する動作状態記憶手段と、前記映像音声再生手段に対する設定が最適かどうか判定する最適設定判定手段と、ユーザから装置への操作を受け付ける受付手段と、再生装置からユーザへの情報表示手段とを備え、
前記最適設定判定手段は、前記受付手段がユーザからの操作を受けて、前記動作状態記憶手段からの装置の動作状態と、前記特定情報解析手段からの情報に基づいて、最適設定を前記情報表示手段を用いてユーザに表示または、最適設定に設定することを特徴とする。
【０００６】
また、本発明の請求項２記載の制御方法は、請求項１を実現するための制御方法である。
【０００７】
さらに本発明の請求項３記載のプログラムは、請求項２を実現するためのプログラムである。
【発明の効果】
【０００８】
本発明では、再生装置の動作状況とストリームの管理情報やヘッダ情報に基づいて設定変更の候補項目を明示し、当該機能にあまり詳しくないユーザに対しても使いやすくするアシスタント機能を提供することができる。
【発明を実施するための最良の形態】
【０００９】
本発明の実施の形態について、図1から図５を用いて説明する。まず、本発明の実施の形態における再生装置の全体構成を説明する。
【００１０】
図２は、本発明の実施の形態における再生装置の全体構成を説明する図である。図２に示すように、本発明の実施の形態における再生装置は、光ディスク201、光ピックアップ202、データ切替部203、管理情報／ヘッダ解析部204、設定値記憶部205、映像音声復号部206、最適値判定部207、設定項目抽出部208、ユーザアクション判定部209、映像音声出力部210、GUI表示部211から構成される。
【００１１】
光ディスク201は、本発明の再生装置で再生される信号列が記録されている。光ピックアップ（データ読み出し手段）202は、光ディスク201に記録された信号列の読み出しを行う。
【００１２】
データ切替部203は、光ピックアップ202を通して読み出された光ディスク201に記録された信号を、それが管理情報もしくはヘッダ部分データの場合は、出力先を管理情報／ヘッダ解析部204へ、映像音声データの場合は映像音声復号部206へと切り替える。管理情報／ヘッダ解析部204は再生するストリームの管理情報部分とヘッダ部分を解析し、最適値判定部207にて必要な情報を抽出する。
【００１３】
設定値記憶部（動作状態記憶手段）205は、再生装置の各機能に対する設定値が記憶されている。映像音声復号部206は、データ切替部203より入力された映像音声ストリームデータをデータに応じて復号化し、映像音声出力部210に出力する。最適値判定部207は、管理情報／ヘッダ解析部204からの入力されるストリームデータの情報を元に、設定項目の最適値を判定する。設定項目抽出部208は、ユーザアクション判定部209からの出力をトリガとして、最適値判定部207と設定値記憶部205からの情報を元に、設定変更の候補項目を抽出し、GUI表示部211に伝達する。
【００１４】
ユーザアクション判定部（受付手段）209は、各種ユーザアクションの中から、アシスタント要求項目が選択されたことを判定して、設定項目抽出部208に伝達する。映像音声出力部210は、映像音声復号部206からの信号を入力とし、映像音声信号として外部に出力する。GUI表示部（情報表示手段）211は、設定項目抽出部208にて抽出された設定変更の候補項目をGUIとして画面上に表示する。
【００１５】
上記映像音声復号部206と映像音声出力部210によって、光ピックアップ202から読み出されたデータを映像、音声毎に復号化処理し、復号化処理された映像、音声を出力する映像音声再生手段を構成する。
【００１６】
またデータ切替部203と管理情報／ヘッダ解析部204によって、映像音声再生手段における映像、音声の最適な出力に必要な特定情報を光ピックアップ202から読み出し、解析する特定情報解析手段を構成する。
【００１７】
さらに最適値判定部207と設定項目抽出部208によって前記映像音声再生手段に対する設定が最適かどうか判定する最適設定判定手段20を構成する。この最適設定判定手段20は、ユーザアクション判定部209がユーザからの操作を受けて、設定値記憶部205からの装置の動作状態と、前記特定情報解析手段からの情報に基づいて、最適設定をGUI表示部211を用いてユーザに表示または、最適設定に設定する。
【００１８】
次に、本発明の実施の形態における動作を図１から図５を用いて説明する。
【００１９】
本発明は、ユーザからのアシスタント要求に対して、設定変更の候補項目を抽出して表示することによって、ユーザの使い勝手を改善するものである。再生装置の設定項目の中には、再生装置が自動的に最適な設定値を設定するオートモードが存在する項目も含まれている。
【００２０】
まず、再生装置に搭載されている機能と内容についてあまり詳しくないユーザが、以前にいくらかの項目の設定値を変更し、その中にはオートモードが存在する項目も含まれていたとする。何種類かのストリームを再生していると、再生しようとするストリームに対して設定値が最適でなく、適切な映像音声出力が得られなくなる場合が発生する。このときユーザは、映像または音声出力に違和感を感じ、何かの項目の設定値を変更しなければならないと認識するが、どの項目の設定を変更したらよいか理解できない状況とする。
【００２１】
図1は、本発明の実施の形態における再生装置の制御フローを説明する図である。ステップ101では、ユーザは再生装置に対して、アシスタント機能の実施を要求する。このときのユーザアクションとしては、例えば、図３に示すようなGUIメニューからのヘルプ項目の選択が一例として挙げられる。
【００２２】
ステップ102では、ステップ101でのユーザアクションを受けて、ユーザアクション判定部209が設定項目抽出部208に対して項目抽出のトリガをかける。設定項目抽出部208は、図４に一例を示すような有効機能項目一覧表を元に、設定値記録部205に記録されている現在の再生装置の動作状態から設定切り替えを行って効果がある設定項目を抽出する。現在のプレーヤ状態は動作状態A（Progressive出力）であってONであるとすると、設定項目抽出部208は設定切替して効果のある項目として機能１(AUTO有)、機能３、機能４、機能９を抽出する。
【００２３】
ステップ103では、設定項目抽出部208はステップ102で抽出した項目の中で、オートモードのある項目でオートモード以外の設定になっている項目を抽出する。ステップ102で抽出された機能１（Transfer  Mode）には例えば、AUTOモードに加えて設定１（Ｖｉｄｅｏモード）と設定２（Ｆｉｌｍモード）があり、GUIにて設定項目を表示させた場合、図５（ａ）の501のようにオートモードではない設定１（Ｖｉｄｅｏモード）に設定されていたとする。
【００２４】
ステップ104では、光ピックアップ202を通して光ディスク201からデータが読み出される。このとき代表的なデータ構造は、図５（ｂ）の5021から5025に例示するように、光ディスク5021上に管理情報5025とストリーム5022が記録されている。さらに、ストリーム5022は、ヘッダ部5023と映像音声データ部5024に分けられる。このようなデータがデータ切替部203で管理情報またはヘッダ部分に分けられ、管理情報／ヘッダ解析部204に入力される。最適値判定部207が管理情報／ヘッダ解析部204にて解析された結果から、現在再生中のストリームデータに対しての最適な設定値502を判定する。この例では動作状態A（Progressive出力）がONのときの機能１（Transfer  Mode）の最適値を設定２（Ｆｉｌｍモード）と決定したとする。
【００２５】
ステップ105では、設定項目抽出部208は、最適値判定部207からの結果と、ステップ103で抽出した項目の設定値を比較し、最適値と相違のある項目を抽出する。抽出されればステップ106へ、抽出されなければステップ107で処理を終了する。この例では抽出されることになるのでステップ106へ移行する。
【００２６】
ステップ106では、GUI表示部211がステップ105で抽出した最適値と相違のある項目と推奨設定値をGUI表示としてディスプレイに表示する。例えば、図５（ｃ）の設定変更候補項目表示503として、機能１（Transfer  Mode）は現在の設定が設定１（Ｖｉｄｅｏモード）であり、推奨設定はAUTOモード又は設定２（Ｆｉｌｍモード）であることを表示し、ユーザにアシスタント機能を提供する。また、設定が変更された場合には、その設定が有効になるとともに、設定値は設定記憶部205に記憶される。
【００２７】
なお、上記実施の形態では、最適値と相違のある項目を候補としてGUIに表示しているが、これを表示せず、自動的に最適値へ変更するという方法を行なっても良い。
【００２８】
上記のような動作フローとすることにより、ユーザは設定変更の候補項目を知ることができ、設定変更に関しての使い勝手が向上するという利点がある。
【産業上の利用可能性】
【００２９】
本発明にかかる映像音声再生装置は、DVDやMPEG4などの映像または音声が記録されているストリームを再生する際に、再生装置の機能の設定に関して、ユーザへのアシスタント機能を提供し、使い勝手の向上を実現するものである。
【図面の簡単な説明】
【００３０】
【図１】本発明の実施の形態における映像音声再生装置の制御フロー図
【図２】本発明の実施の形態における映像音声再生装置の全体構成図
【図３】図１のステップ101においてヘルプ項目を選択するGUI表示の一例を示す図
【図４】現在の再生装置の状態に応じて設定切り替えして有効な項目を抽出する際に使用する設定切替機能一覧表を示す図
【図５】（ａ）はＧＵＩ表示で設定項目の一例を示した図（ｂ）は記録データ構造の一例と解析結果を示す図（ｃ）は設定変更候補項目503の表示例を示した図
【符号の説明】
【００３１】
20    最適設定判定手段
101    ヘルプ項目を選択するステップ
102    設定切替して効果がある項目を抽出するステップ
103    オートモード以外の設定値の項目を抽出するステップ
104    管理情報と設定値を比較するステップ
105    相違を判定するステップ
106    候補項目を表示するステップ
107    処理終了のステップ
201    光ディスク
202    光ピックアップ
203    データ切替部
204    管理情報／ヘッダ解析部
205    設定値記憶部
206    映像音声復号部
207    最適値判定部
208    設定項目抽出部
209    ユーザアクション判定部
210    映像音声出力部
211    GUI表示部
501    現在の設定値表示
5021    光ディスク
5022    ストリーム構造
5023    ヘッダ部
5024    映像音声データ部
5025    管理情報部
503    設定変更候補表示
【図１】
2007109296.tif 000003
【図２】
2007109296.tif 000004
【図３】
2007109296.tif 000005
【図４】
2007109296.tif 000006
【図５】
2007109296.tif 000007